(57)【要約】      （修正有）【課題】スピーカー装置において、長期にわたってボイスコイルボビンを弾性的に支持することが可能な振動体の支持構造を提供する。【解決手段】スピーカー装置は、ボイスコイルボビン（ボビン）と、ボビンを弾性的に支持する第１及び第２のダンパーとを含む振動体と、振動体を支持する支持体とを備える。第１のダンパーと第２のダンパーとボビンと支持体により囲まれる空間は気密にされており、その空間に存在する空気は振動体を弾性的に支持する空気バネの機能を有する。ボビンは、第１及び第２のダンパーによる弾性力と、前記空間の空気バネの弾性力により弾性的に支持される。ボビンをダンパーのみによって弾性的に支持する構造と比較して、長期にわたってボイスコイルボビンを弾性的に支持することができる。【選択図】図１
2008301171.tif 000002
【特許請求の範囲】
【請求項１】
ボイスコイルボビンと、前記ボイスコイルボビンを支持する第１及び第２のダンパーと、を有する振動体と、
前記振動体を支持する支持体と、を備え、
前記第１のダンパーと、前記第２のダンパーと、前記ボイスコイルボビンと、前記支持体とにより囲まれる空間に存在する空気は、空気バネの機能を有することを特徴とするスピーカー装置。
【請求項２】
前記第１のダンパーの面積と、前記第２のダンパーの面積とが異なっていることを特徴とする請求項１に記載のスピーカー装置。
【請求項３】
前記第２のダンパーの面積は、前記第１のダンパーの面積より大きいことを特徴とする請求項２に記載のスピーカー装置。
【請求項４】
前記第１のダンパー又は前記第２のダンパーの各々は、波状の複数の凹凸が音響放射側及び前記音響放射側に対し逆側に形成された可動部を有していることを特徴とする請求項１乃至３のいずれか一項に記載のスピーカー装置。
【請求項５】
前記第１のダンパー又は前記第２のダンパーは、第１の可動部と、第２の可動部と、を有する可動部を備え、
前記第１の可動部と前記第２の可動部の剛性が異なることを特徴とする請求項１乃至３のいずれか一項に記載のスピーカー装置。
【請求項６】
前記第１のダンパー及び前記第２のダンパーと、前記ボイスコイルボビンの間には環状部材が配置されていることを特徴とする請求項１乃至５のいずれか一項に記載のスピーカー装置。
【請求項７】
前記支持体には、前記空気バネのコンプライアンスを変化させるための開口部が設けられていることを特徴とする請求項１に記載のスピーカー装置。
【請求項８】
ボイスコイルボビンと、前記ボイスコイルボビンを支持する第１及び第２のダンパーと、を有する振動体と、前記振動体を支持する支持体と、を備え、
前記第１のダンパー又は前記第２のダンパーは、第１の可動部と、第２の可動部と、を有する可動部を備え、
前記第１の可動部と前記第２の可動部の剛性が異なることを特徴とするスピーカー装置。
【発明の詳細な説明】
【技術分野】
【０００１】
本発明は、スピーカー装置における振動体の支持構造に関する。
【背景技術】
【０００２】
従来より、振動体の構成部材（振動板、ボイスコイル、ボイスコイルボビン、センターキャップを含む）を複数のダンパーによって弾性的に支持する構造を備えたスピーカー装置が知られている。このように、振動体を複数のダンパーを用いて弾性的に支持することで、振動体を１つのダンパーにて弾性的に支持する構造と比較して、振動体をより安定的に支持することができる。
【０００３】
例えば、この種のスピーカー装置として、コルゲーション形状の第１のダンパー及び第２のダンパーを有し、第１のダンパーの半径、波高値及び波面のピッチをそれぞれＬ１、Ｈ１、Ｐ１とし、第２のダンパーの半径、波高値及び波面のピッチをそれぞれＬ２、Ｈ２としたとき、第１のダンパーと第２のダンパーとの関係がＬ１＞Ｌ２、Ｈ１＞Ｈ２、Ｐ１＞Ｐ２を満たすスピーカー装置が知られている（例えば、特許文献１を参照）。
【０００４】
かかる構成により、ダブルダンパー方式を採用した場合のコンプライアンスの相違による振動のアンバランスが解消され、振動部材（上記の振動体に相当）の振動のバランスを良好に保つことができるとされている。なお、このスピーカー装置では、第１のダンパーと第２のダンパーとコイルボビン（上記のボイスコイルボビンに相当）とフレームとに囲まれる空間はフレームに設けられた通気孔を通じて外部空間に繋がっている。
【０００５】
また、第１のダンパーと第２のダンパーの間で形成される第１の空間部内の空気の圧力変化を第１のダンパー又は／及び第２のダンパーに穿った透孔を通じてボイスコイルボビンの内径内に流出させ、コーン（上記の振動板に相当）に等価質量を付加して構成されるスピーカー装置が知られている（例えば、特許文献２を参照）。
【０００６】
かかる構成により、スピーカー装置の最低共振周波数ｆ０を感度を下げずに低音域側に遷移させて、再生周波数帯域を拡大させるようにしている。
【０００７】
なお、特許文献３には、同軸に配置された第１の振動板及び第２の振動板を備え、第１の振動板と第２の振動板とフレームとで囲まれた空間が密閉され、この密閉空間内の空気バネのバネ性によりボイスコイルボビンを介して振動系が支持されて構成されるスピーカー装置が記載されている。
【０００８】
【特許文献１】特開平９−１０７５９７号公報
【特許文献２】特開平１１−５５７９０号公報
【特許文献３】特開２００５−１９１７４６号公報
【発明の開示】
【発明が解決しようとする課題】
【０００９】
ここで、上記のスピーカー装置において、ダンパーが前記振動体の構成部材を弾性的に支持する力は、ダンパーの形状やダンパーを形成する素材に支配される。特に、長期間の使用によってダンパーに機械的な疲労が生じて、ダンパーのリニアリティー特性が変化してしまうが、このリニアリティー特性はダンパーの素材等に大きく左右される。
【００１０】
本来、音質の向上を図るためには、ダンパーに作用する力に対し、その力を受けてダンパーが伸びたときの変位の大きさとの関係を表す関数（ダンパーに作用する力をＸ軸にとり、ダンパーの変位の大きさをＹ軸に取り、原点はダンパーが静止している時を表し、その時のダンパーに作用する力と、ダンパーの変位をゼロとする。）は右肩上がりで、その傾きが一定であることが望ましい。
【００１１】
例えば、図７は、ダンパーに作用する力とダンパーの変位との関係を示す２つの曲線を示している。具体的に、曲線Ｇ１は、原点Ｏから変位Ｂ'点まで傾きが一定である。また、曲線Ｇ２は、原点ＯからＡ'点まで傾きが一定であるが、Ａ'点から変位がＢ'点までは傾きは一定でなく、右肩下がりの傾向にある。前者の曲線Ｇ１のように傾きが一定である区間が長いダンパーを以下では「リニアリティー特性が高い」と呼び、後者の曲線Ｇ２のように傾きが一定である区間が短いダンパーを「リニアリティー特性が低い」と呼ぶ。
【００１２】
しかしながら、上記した特許文献１では、ボイスコイルボビン等の弾性的な支持を第１及び第２のダンパーのみによって行っているため、それらの長期間の使用によって第１及び第２のダンパーの機械的な疲労が生じ、これにより第１及び第２のダンパーのリニアリティー特性が低下してしまう。そのため、長期にわたってボイスコイルボビンを弾性的に支持することができないといった問題がある。
【００１３】
また、第１のダンパー及び第２のダンパーの変形等により、特異な振動や漏れ音が発生し、音響特性の低下を招くという問題がある。
【００１４】
また、上記の特許文献３に記載のスピーカー装置では、第１の振動板と第２の振動板の間に形成された密閉空間の空気バネのバネ性により、ボイスコイルボビンが制御可能に支持されているので、ダンパーを設ける必要がないという利点がある。しかし、前記ダンパーを含んで構成される振動体の重量と、前記第２の振動体及び前記エッジを含む前記部材を含んで構成される振動体の重量とを比較した場合、後者の方が前者よりも大きさ又は密度等が大きい理由等から重くなる。よって、このスピーカー装置では、上記した利点を有する反面、振動体の重量が大きくなってしまい、これによりスピーカー装置の感度が低下してしまうといった問題がある。特に、上記の特許文献３に記載のスピーカー装置が小型である場合には、振動体の軽量化、すなわち、スピーカー装置の感度をより大きくする必要がある。そのため、スピーカー装置が小型である場合には、スピーカー装置の感度が低下してしまうことは、スピーカー装置が大型である場合よりも、スピーカー装置への悪影響（例えば、スピーカー装置の性能低下等）が大きくなる。
【００１５】
本発明が解決しようとする課題としては、上記のようなものが例として挙げられる。本発明は、スピーカー装置において、長期にわたってボイスコイルボビンを弾性的に支持すること、振動体の重量を小さくすることで、スピーカー装置の感度の低下を抑止すること、空気抵抗を変えることで音響特性を自由に変化させることを可能にすること、等を課題の一例とする。
【課題を解決するための手段】
【００１６】
請求項１に記載の発明は、スピーカー装置であって、ボイスコイルボビンと、前記ボイスコイルボビンを支持する第１及び第２のダンパーと、を有する振動体と、前記振動体を支持する支持体と、を備え、前記第１のダンパーと、前記第２のダンパーと、前記ボイスコイルボビンと、前記支持体とにより囲まれる空間に存在する空気は、空気バネの機能を有することを特徴とする。
【発明を実施するための最良の形態】
【００１７】
本発明の１つの実施形態では、スピーカー装置は、ボイスコイルボビンと、前記ボイスコイルボビンを支持する第１及び第２のダンパーと、を有する振動体と、前記振動体を支持する支持体と、を備え、前記第１のダンパーと、前記第２のダンパーと、前記ボイスコイルボビンと、前記支持体とにより囲まれる空間に存在する空気は、空気バネの機能を有する。
【００１８】
上記のスピーカー装置は、ボイスコイルボビンと、ボイスコイルボビンを弾性的に支持する第１及び第２のダンパーと、を有する振動体と、その振動体を支持する支持体と、を備える。そして、第１のダンパーと、第２のダンパーと、ボイスコイルボビンと、支持体とにより囲まれる空間は気密にされている。その空間に存在する空気は、振動体を弾性的に支持する空気バネの機能を有する。
【００１９】
これにより、このスピーカー装置では、第１及び第２のダンパーによる弾性力と、前記の空間の容積により規定される空気バネの弾性力とによって、ボイスコイルボビンが弾性的に支持される。これにより、前記の空気バネを利用することなく第１及び第２のダンパーのみにより、ボイスコイルボビンを弾性的に支持する構造と比較して、長期にわたってボイスコイルボビンを弾性的に支持することができる。つまり、スピーカー装置を長期にわたって使用することにより、第１及び第２のダンパーの機械的な疲労等の経時変化が生じて、ボイスコイルボビンを支持する力が低下するものの、空気バネを利用することで、その低下を補うことができる。その結果、第１及び第２のダンパーに、長期にわたって使用することによる機械的な疲労や経時変化等が生じても、安定してボイスコイルボビンを弾性的に支持することが可能になり、信頼性の高いスピーカー装置が得られる。
【００２０】
また、この構成によれば、振動板を複数用いて前記の空気バネを形成する構造と比較して、大きさ又は密度が小さい理由等から、振動体の重量を小さくすることができる。その結果、スピーカー装置の感度が低下することを抑止することができる。
【００２１】
好適な例では、前記第１のダンパー又は前記第２のダンパーは、波状の複数の凹凸が音響放射側及び前記音響放射側に対し逆側に形成された可動部を有していることが好ましい。但し、この好適な例では、第１及び第２のダンパーの各々は、波状の複数の凹凸が音響放射側及び前記音響放射側に対し逆側に形成された可動部を有するので、第１及び第２のダンパーの可動部の全体は柔軟性を有する。そのため、振動体の振動時には、前記可動部の柔軟性に起因して、第１及び第２のダンパーの形状の変化が大きくなり過ぎてしまう。これにより、前記の空間において所望の空気バネを発現させることが難しい場合がある。
【００２２】
この点を考慮すると、前記第１のダンパー及び前記第２のダンパーの各々は、第１の可動部と、第２の可動部と、を有する可動部を備え、前記第１の可動部と前記第２の可動部との剛性が異なることが好ましい。または、このスピーカー装置は、ボイスコイルボビンと、前記ボイスコイルボビンを支持する第１及び第２のダンパーと、を有する振動体と、前記振動体を支持する支持体と、を備え、前記第１のダンパー又は前記第２のダンパーは、第１の可動部と、第２の可動部と、を有する可動部を備え、前記第１の可動部と前記第２の可動部の剛性が異なる。また、第１の可動部と第２の可動部のうち、剛性が大きい方は主体的に変形しないが、特に剛性が小さい方が主体的に変形するので、さらに好ましい。
【００２３】
これにより、振動体が振動する時には、第１及び第２の可動部のうち、剛性が小さい方が主体的にボイスコイルボビンを弾性的に支持することになる。そのため、振動体が振動する時には、振動体の振幅が大きくなることを抑制でき、これにより、第１及び第２のダンパーの形状の変化が大きくなることを抑制できる。その結果、前記の空間において所望する空気バネを発現させることが可能となる。
【００２４】
上記のスピーカー装置の一つの態様では、前記第１のダンパーと前記第２のダンパーの面積とが異なる。
【００２５】
上記のスピーカー装置の他の態様では、前記第１のダンパー及び前記第２のダンパーと、前記ボイスコイルボビンの間には環状部材が配置されている。
【００２６】
この態様によれば、第１のダンパーと、第２のダンパーと、環状部材と、支持体との間には気密にされた空間が形成される。よって、この態様では、振動体が振動する時に、ボイスコイルボビンに前記の空気バネの圧力が加わった場合でも、環状部材によってボイスコイルボビンが補強され、前記の空気バネの圧力によりボイスコイルボビンが変形や破損等してしまうことを抑止することができる。
【００２７】
上記のスピーカー装置の他の態様では、前記支持体には、前記空気バネのコンプライアンスを変化させるための開口部が設けられている。好適な例では、前記空間に存在する空気バネのコンプライアンスは、開口部の大きさ（面積）を変えることにより変化する。
【００２８】
よって、このスピーカー装置では、その仕様に応じて、開口部の大きさ（面積）を適宜変えることにより、前記空間の容積の大きさを実質的に変えることができる。これにより、前記空間に存在する空気バネのコンプライアンスを変えることができるので、前記空間に存在する空気バネの弾性力を変えることができる。その結果、音響特性を容易に所望の特性に変えることができ、音響特性の設計自由度を向上させることができる。
【実施例】
【００２９】
以下、図面を参照して本発明の好適な各種の実施例について説明する。
【００３０】
[第１実施例]
（スピーカー装置の構成）
まず、図１を参照して、本発明の第１実施例に係るスピーカー装置１００の構成について説明する。図１は、本発明の第１実施例に係るスピーカー装置１００を、その中心軸Ｌを通る位置で切断した断面図を示す。
【００３１】
スピーカー装置１００は、磁気回路３０と、支持体４と、振動体３１と、を備える。
【００３２】
（磁気回路の構成）
磁気回路３０はヨーク１、マグネット２及びプレート３を構成部材として有し、その各構成部材の構成は次の通りである。
【００３３】
ヨーク１は、円柱状のセンターポール１ａと、センターポール１ａの外周面の下端部から外側へ延在するように設けられたフランジ部１ｂと、を有する。センターポール１ａには、音響放射側Ｙ１に貫通する貫通孔１ｈが設けられている。この貫通孔１ｈは、スピーカー装置１００の外側の外部空間Ａ２に連通しており、振動体３１の振動時に、主に、音響放射側Ｙ１に対し逆側に位置する、キャップ１１の背面側に形成された空間内の空気圧の変化を防止する。マグネット２は、環状の形状を有し、ヨーク１のフランジ部１ｂ上に取り付けられている。プレート３は、環状の形状を有し、マグネット２上に取り付けられている。プレート３と、センターポール１ａの間にはマグネット２の磁束が集中する磁気ギャップ３２が形成されている。
【００３４】
（支持体の構成）
支持体４は、第１の段部４ａと、第１の段部４ａの外側に且つ上方に配置された第２の段部４ｂと、第２の段部４ｂの外側に且つ上方に配置された第３の段部４ｃと、第３の段部４ｃの外側に且つ上方に配置された第４の段部４ｄと、を備え、略椀状の形状を有する。第１の段部４ａ、第２の段部４ｂ、第３の段部４ｃ及び第４の段部４ｄの各々は略平坦な形状を有する。支持体４の第１の段部４ａはプレート３上に取り付けられている。これにより、支持体４は、振動体３１を取り囲むように配置され、振動体３１を支持している。
【００３５】
（振動体の構成）
振動体３１は、ボイスコイルボビン５、ボイスコイル６、第１のダンパー７、第２のダンパー８、振動板９、エッジ１０及びキャップ１１を構成部材として有し、その各構成部材の構成は次の通りである。
【００３６】
ボイスコイルボビン５は、筒状の形状を有し、センターポール１ａの外周面の上端部を取り囲むように配置されている。
【００３７】
ボイスコイル６は、ボイスコイルボビン５の外周面の下端部に巻かれており、磁気ギャップ３２内に位置している。ボイスコイル６は、一対のプラス／マイナスのリード線（図示略）を有する。プラスのリード線はＬ（又はＲ）チャンネル信号の入力配線であり、マイナスのリード線はグランド（ＧＮＤ：接地）信号の入力配線である。一対のプラス／マイナスのリード線は、支持体４の適当な位置に取り付けられた各スピーカー端子（図示略）に電気的に接続されている。また、前記各スピーカー端子は、それぞれアンプ側の一対のプラス／マイナスの出力配線とも電気的に接続されている。
【００３８】
第１のダンパー７は、環状の平面形状を有し、波状の複数の凹凸が音響放射側及び前記音響放射側に対し逆側に形成された可動部を備えて構成される。第１のダンパー７は、伸縮可能な素材等にて形成されている。ここで、伸縮可能な素材等としては、例えば、ゴムや発泡ウレタンにより形成される素材、綿繊維、絹等の天然繊維、アラミド繊維、ポリエステル繊維、アセテート繊維、ＰＢＯ繊維、液晶ポリマー繊維、アクリル繊維、フェノール樹脂繊維、ボロン繊維、アモルフアス繊維、フッ素繊維、カーボン繊維、チタン繊維、等の有機系又は無機系の合成繊維等、公知の繊維から形成される不織布や織物にて形成された基材と、その基材の表面に塗布されたフェノール系樹脂、又はエマルジョンタイプの樹脂等（例えば、特開2003‐78993号公報を参照）と、を有する素材、或いは、不織布や織物にて形成された基材と、その基材の表面に貼り付けられたラミネートフィルムとを有する素材などが挙げられる。第１のダンパー７の内周部は、ボイスコイルボビン５の外周面の上端部付近に取り付けられている。一方、第１のダンパー７の外周部は、支持体４の第２の段部４ｂ上に取り付けられている。
【００３９】
第２のダンパー８は、第１のダンパー７と同様に、環状の平面形状を有し、波状の複数の凹凸が音響放射側及び前記音響放射側に対し逆側に形成された可動部を備えて構成される。第２のダンパー８は、第１のダンパー７と同様に、上記において例示した伸縮可能な素材にて形成されている。第２のダンパー８の内周部は、ボイスコイルボビン５の外周面の上端部付近に且つ第１のダンパー７の上方に取り付けられている。一方、第２のダンパー８の外周部は、支持体４の第３の段部４ｃ上に取り付けられている。これにより、第２のダンパー８は、第１のダンパー７と共にボイスコイルボビン５を弾性的に支持する。また、第２のダンパー８の面積Ｓ２は、第１のダンパー７の面積Ｓ１より大きい。さらに、第２のダンパー８と、第１のダンパー７と、支持体４と、ボイスコイルボビン５との間には空間Ａ１が形成されており、その空間Ａ１は気密にされている。
【００４０】
また、第１のダンパー７及び第２のダンパー８は、空間Ａ１を気密にすべく、通気性が抑止されていることが好ましい。そのため、第１のダンパー７及び第２のダンパー８は、例えば、不織布や織物等の基材を有する場合には、フェノール系樹脂やエマルジョン系樹脂等の付与量（含浸量）を多くする、又は不織布や織物等の基材の表面（裏面）にフェノール系樹脂やエマルジョン系樹脂等を付与する等の公知の手段により、形成されていても構わない。
【００４１】
振動板９は、コーン状の形状を有し、ボイスコイル６へ入力される音声信号に応じた音波を放射する。振動板９の内周部はボイスコイルボビン５の外周面の上端部に取り付けられている。
【００４２】
エッジ１０は、環状の形状及び凸状の断面形状を有し、振動板９を弾性的に支持する。エッジ１０の内周部は、振動板９の外周部に取り付けられている一方、エッジ１０の外周部は、支持体４の第４の段部４ｄ上に取り付けられている。
【００４３】
キャップ１１は、ドーム状の形状を有し、ボイスコイルボビン１１の上端部を閉塞した状態にて振動板９の音響放射側Ｙ１の内周部付近に取り付けられている。これにより、粉塵や水滴などが磁気回路３０側へ侵入するのを抑止することができる。
【００４４】
以上の構成を有するスピーカー装置１００では、アンプ側の一対のプラス／マイナスの出力配線から出力された音声電流は、前記各スピーカー端子及びボイスコイル６の一対のプラス／マイナスのリードを通じて、当該ボイスコイル６へ入力される。これにより、フレミングの左手の法則に基づき、磁気ギャップ３２内でボイスコイル６に電磁気力（ローレンツ力）が作用し、ボイスコイル６と共に振動板９等が音響放射側Ｙ１及びその逆側に動くことで、振動板９から音響放射側Ｙ１に向けて音波が放射される。
【００４５】
［振動体の支持構造］
次に、図１を参照して、第１実施例のスピーカー装置１００における振動体３１の支持構造について説明する。
【００４６】
図１に示すように、このスピーカー装置１００では、第１のダンパー７と、第２のダンパー８と、ボイスコイルボビン５と、支持体４との間には空間Ａ１が形成されており、その空間Ａ１は気密にされている。このため、このスピーカー装置１００の駆動時に、振動体３１が音響放射側Ｙ１へ動いた場合には、空間Ａ１の容積Ｖ１が増加（膨張）して、その空間Ａ１の圧力が下がる。一方、振動体３１が音響放射側Ｙ１に対し逆側に動いた場合には、空間Ａ１の容積Ｖ１が減少（圧縮）して、その空間Ａ１の圧力が上がる。これにより、この空間Ａ１に存在する空気は、振動体３１を弾性的に支持する空気バネとして機能する。このため、このスピーカー装置１００では、第１のダンパー７及び第２のダンパー８による弾性力と、空間Ａ１の容積Ｖ１により規定される空気バネの弾性力とによって振動体３１が弾性的に支持される。
【００４７】
ここで、空間Ａ１に存在する空気バネの弾性力を表す定数であるスチフネスは、第２のダンパー８の面積Ｓ２と第１のダンパー７の面積Ｓ１との差の絶対値Ｓ（＝｜Ｓ２−Ｓ１｜）の大きさに比例し、空間Ａ１の容積Ｖ１の大きさに反比例する。つまり、空間Ａ１に存在する空気バネのスチフネスはＳ／Ｖ１に比例する。したがって、このスピーカー装置１００では、その仕様に応じて、前記の絶対値Ｓ及び／又は前記の容積Ｖ１を変えることで、空間Ａ１に存在する空気バネのスチフネスを自由に変えるこができる。その結果、音響特性を容易に所望の特性に変えることができ、音響特性の設計自由度を向上させることができる。なお、前記の絶対値Ｓ及び／又は前記の容積Ｖ１を変える方法としては、第１のダンパー７の面積Ｓ１と、第２のダンパー８の面積Ｓ２との相対的な大きさを異ならせる（好ましくは、第２のダンパー８の面積Ｓ２を、第１のダンパー７の面積Ｓ１より大きくする）、第１のダンパー７と第２のダンパー８の距離ｄ１（中心軸Ｌ方向の距離）を変える、などの方法が挙げられる。
【００４８】
また、上記したように、このスピーカー装置１００では、振動体３１が、第１のダンパー７及び第２のダンパー８による弾性力と、空間Ａ１の容積により規定される空気バネの弾性力とによって弾性的に支持される。これにより、前記の空気バネを利用することなく第１のダンパー７及び第２のダンパー８のみにより、振動体３１を弾性的に支持する構造と比較して、長期にわたって振動体３１を弾性的に支持することができる。つまり、スピーカー装置１００を長期にわたって使用することにより、第１のダンパー７及び第２のダンパー８の機械的な疲労等の経時変化が生じて、ボイスコイルボビン５を支持する力が低下するものの、前記の空気バネを利用することで、その低下を補うことができる。その結果、第１のダンパー７及び第２のダンパー８に、長期にわたって使用することによる機械的な疲労や経時変化等が生じても、安定してボイスコイルボビン５を弾性的に支持することが可能になり、信頼性の高いスピーカー装置１００が得られる。
【００４９】
また、この構成によれば、第１のダンパー７及び第２のダンパー８よりも面積の大きい振動板を複数用いて前記の空気バネを形成する構造と比較して、大きさ又は密度が小さい理由等から、振動体３１の重量を小さくすることができる。その結果、スピーカー装置１００の感度が低下することを抑止することができる。
【００５０】
[変形例１]
変形例１に係るスピーカー装置１００ｘの構成を図２に示す。図２は、変形例１に係るスピーカー装置１００ｘを、その中心軸Ｌを通る位置で切断した断面図を示す。
【００５１】
上記の第１実施例では、第１のダンパー７と、第２のダンパー８と、ボイスコイルボビン５と、支持体４とにより囲まれた空間Ａ１は気密にされているため、振動体３１が振動する時には、ボイスコイルボビン５に前記の空気バネによる圧力が加わる。そのため、この圧力が大きい場合には、その圧力を原因としてボイスコイルボビン５が変形してしまう虞がある。そこで、変形例１では、ボイスコイルボビン５が前記の空気バネによる圧力に耐えられるように、第１のダンパー７及び第２のダンパー８と、ボイスコイルボビン５の間に、図２に示すように、ボイスコイルボビン５を補強するための環状部材１２が介在されていることが好ましい。
【００５２】
具体的には、変形例１では、振動体３１ｘは、ボイスコイルボビン５、ボイスコイル６、第１のダンパー７、第２のダンパー８、振動板９、エッジ１０及びキャップ１１に加え、さらに環状部材１２を構成部材として有する。環状部材１２は、第１のフランジ部１２ａ及び第２のフランジ部１２ｂを備え、略筒状の形状を有する。環状部材１２の内径は、ボイスコイルボビン５の外径より若干大きい。第１のフランジ部１２ａは、環状部材１２の外周面の下端部から外側に延在している。第２のフランジ部１２ｂは、環状部材１２の外周面の上端部から外側に延在している。かかる構成を有する環状部材１２は、ボイスコイルボビン５の外周面の上端部付近に取り付けられている。そして、第１のダンパー７の内周部は、環状部材１２の第１のフランジ部１２ａ上に取り付けられると共に、第２のダンパー８の内周部は、環状部材１２の第２のフランジ部１２ｂ上に取り付けられる。また、第１のダンパー７と、第２のダンパー８と、環状部材１２と、支持体４との間には気密にされた空間Ａ１が形成される。よって、かかる構成によれば、振動体３１ｘが振動する時に、ボイスコイルボビン５に前記の空気バネによる圧力が加わった場合でも、環状部材１２によってボイスコイルボビン５が補強され、前記の空気バネの圧力によりボイスコイルボビン５が変形や破損等してしまうことを抑止することができる。
【００５３】
[第２実施例]
次に、図３を参照して、本発明の第２実施例に係るスピーカー装置２００の構成について説明する。図３は、本発明の第２実施例に係るスピーカー装置２００を、その中心軸Ｌを通る位置で切断した断面図を示す。
【００５４】
第２実施例と第１実施例とを比較した場合、その両者は第１のダンパー及び第２のダンパーの構成のみが異なり、それ以外は同様である。よって、以下では、第１実施例と同一の要素については同一の符号を付し、その説明は省略する。
【００５５】
第２実施例では、振動体３３は、ボイスコイルボビン５、ボイスコイル６、第１のダンパー７１、第２のダンパー８１、振動板９、エッジ１０及びキャップ１１を構成部材として有する。第１のダンパー７１及び第２のダンパー８１の各々は、略平坦な形状を有する第１の可動部７１ａ、８１ａと、第１の可動部７１ａ、８１ａの外側に設けられた湾曲状の第２の可動部７１ｂ、８１ｂと、を有する可動部を備え、伸縮可能な素材にて形成されている。また、空間Ａ１を気密にすべく、第１のダンパー７１、第２のダンパー８１は、その通気性を抑止することが好ましい。
【００５６】
第１のダンパー７１の第２の可動部７１ｂは、音響放射側Ｙ１に対し凸状の形状を有する一方、第２のダンパー８１の第２の可動部８１ｂは、音響放射側Ｙ１と逆側に対し凸状の形状を有する。但し、本発明では、図４に示すように、第１のダンパー７１の第２の可動部７１ｂは、音響放射側Ｙ１に対し凸状の形状を有する一方、第２のダンパー８１の第２の可動部８１ｂも、音響放射側Ｙ１に対し凸状の形状を有していても構わない。また、図示しないが、第１のダンパー７１の第２の可動部７１ｂは、音響放射側Ｙ１に対し逆向きに凸状の形状を有する一方、第２のダンパー８１の第２の可動部８１ｂも、音響放射側Ｙ１に対し逆向きに凸状の形状を有するように、第２の可動部７１ｂ、８１ｂの凸部が互いに対向し合うように形成されていても構わない。第１のダンパー７１の第１の可動部７１ａの内周部はボイスコイルボビン５の外周面の上端部付近に取り付けられている。一方、第１のダンパー７１の第２の可動部７１ｂの外周部は、支持体４の第２の段部４ｂ上に取り付けられている。第２のダンパー８の第１の可動部８１ａの内周部は、ボイスコイルボビン５の外周面の上端部付近に且つ第１のダンパー７１の上方に取り付けられている。一方、第２のダンパー８１の第２の可動部８１ｂの外周部は、支持体４の第３の段部４ｃ上に取り付けられている。これにより、第２のダンパー８１は、第１のダンパー７１と共にボイスコイルボビン５を弾性的に支持する。また、第２のダンパー８１の面積Ｓ２は、第１のダンパー７１の面積Ｓ１より大きい。さらに、第２のダンパー８１と、第１のダンパー７１と、支持体４と、ボイスコイルボビン５との間には空間Ａ１が形成されており、その空間Ａ１は気密にされている。このため、第２実施例では、上記した第１実施例と同様の原理に基づき、この空間Ａ１に存在する空気が振動体３３を弾性的に支持する空気バネとして機能する。このため、このスピーカー装置２００では、第１のダンパー７１及び第２のダンパー８１による弾性力と、空間Ａ１の容積Ｖ１により規定される空気バネの弾性力とによって振動体３３が弾性的に支持される。
【００５７】
したがって、このスピーカー装置２００では、その仕様に応じて、前記の絶対値Ｓ及び／又は前記の容積Ｖ１を変えることで、空間Ａ１に存在する空気バネのスチフネスを自由に変えることができる。その結果、音響特性を容易に所望の特性に変えることができ、音響特性の設計自由度を向上させることができる。
【００５８】
また、このスピーカー装置２００では、上記したように、第１のダンパー７１及び第２のダンパー８１による弾性力と、空間Ａ１の容積Ｖ１により規定される空気バネの弾性力とによって振動体３３が弾性的に支持されるので、前記の空気バネを利用することなく第１のダンパー７１及び第２のダンパー８１のみにより、振動体３３を弾性的に支持する構造と比較して、長期にわたって振動体３３を弾性的に支持することができる。つまり、スピーカー装置２００を長期にわたって使用することにより、第１のダンパー７１及び第２のダンパー８１の機械的な疲労等の経時変化が生じて、ボイスコイルボビン５を支持する力が低下するものの、前記の空気バネを利用することで、その低下を補うことができる。その結果、第１のダンパー７１及び第２のダンパー８１に、長期にわたって使用することによる機械的な疲労や経時変化等が生じても、安定してボイスコイルボビン５を弾性的に支持することが可能になり、信頼性の高いスピーカー装置２００が得られる。
【００５９】
また、この構成によれば、第１のダンパー７１及び第２のダンパー８１よりも面積の大きい振動板を複数用いて前記の空気バネを形成する構造と比較して、大きさ又は密度が小さい理由等から、振動体３３の重量を小さくすることができる。その結果、スピーカー装置２００の感度が低下することを抑止することができる。
【００６０】
また、上記の第１実施例では、第１のダンパー７及び第２のダンパー８は、波状の複数の凹凸が音響放射側及び前記音響放射側に対し逆側に形成された可動部を備えて構成されるので、第１のダンパー７及び第２のダンパー８の前記可動部の全体は高い柔軟性を有する。そのため、振動体３３が振動する時には、前記可動部の高い柔軟性に起因して第１のダンパー７及び第２のダンパー８の形状の変化が大きくなる。これにより、前記の空間Ａ１において所望の空気バネを発現させることが難しい場合がある。
【００６１】
この点、第２実施例では、第１のダンパー７１及び第２のダンパー８１の各々は、略平坦状の形状を有する第１の可動部７１ａ、８１ａと、第１の可動部７１ａ、８１ａの外側に設けられた湾曲状の第２の可動部７１ｂ、８１ｂと、を有する可動部を備える。好適な例では、第１の可動部７１ａ、８１ａと第２の可動部７１ｂ、８１ｂとは剛性が異なることが好ましい。例えば、第１のダンパー７１及び第２のダンパー８１の第１の可動部７１ａ、８１ａは剛性を有する素材（例えば、ＡＢＳ樹脂など）にて形成されていると共に、第１のダンパー７１及び第２のダンパー８１の第２の可動部７１ｂ、８１ｂは柔軟性を有する素材（例えば、発泡ウレタンを圧縮して形成される素材やゴムなど）にて形成され、通気性が抑止されていることが、空間Ａ１を気密にする点で好ましい。
【００６２】
これにより、振動体３３が振動する時には、第１の可動部７１ａ、８１ａ及び第２の可動部７１ｂ、８１ｂのうち、湾曲状の第２の可動部７１ｂ、８１ｂが主体的にボイスコイルボビン５を弾性的に支持することになり、第１の可動部７１ａ、８１ａは主体的に変形しなくなる。そのため、振動体３３が振動する時には、振動体３３の振幅が大きくなることを抑制できる。その結果、第１のダンパー７１及び第２のダンパー８１の形状の変化が大きくなることを抑制でき、前記の空間Ａ１において所望の空気バネを発現させることが可能となる。
【００６３】
[変形例２]
変形例２に係るスピーカー装置２００ｘの構成を図５に示す。図５は、変形例２に係るスピーカー装置２００ｘを、その中心軸Ｌを通る位置で切断した断面図を示す。
【００６４】
上記の第２実施例では、第１のダンパー７１と、第２のダンパー８１と、ボイスコイルボビン５と、支持体４とにより囲まれた空間Ａ１は気密にされているため、振動体３３が振動する時には、ボイスコイルボビン５に前記の空気バネによる圧力が加わる。そのため、この圧力が大きい場合には、その圧力を原因としてボイスコイルボビン５が変形してしまう虞がある。そこで、変形例２では、ボイスコイルボビン５が前記の空気バネによる圧力に耐えられるように、第１のダンパー７１及び第２のダンパー８１と、ボイスコイルボビン５の間に、図５に示すように、ボイスコイルボビン５を補強するための環状部材１２が介在されていることが好ましい。
【００６５】
具体的には、変形例２では、振動体３３ｘは、ボイスコイルボビン５、ボイスコイル６、第１のダンパー７１、第２のダンパー８１、振動板９、エッジ１０及びキャップ１１に加え、さらに環状部材１２を構成部材として有する。環状部材１２の構成は上記した変形例１と同様である。第１のダンパー７１の第１の可動部７１ａの内周部は、環状部材１２の第１のフランジ部１２ａ上に取り付けられる。一方、第１のダンパー７１の外周部は、支持体４の第２の段部４ｂ上に取り付けられている。第２のダンパー８１の第１の可動部８１ａの内周部は、環状部材１２の第２のフランジ部１２ｂ上に取り付けられる。一方、第２のダンパー８１の外周部は、支持体４の第３の段部４ｃ上に取り付けられている。これにより、第２のダンパー８１は、第１のダンパー７１と共にボイスコイルボビン５を弾性的に支持する。また、第２のダンパー８１の面積Ｓ２は、第１のダンパー７１の面積Ｓ１より大きい。さらに、第２のダンパー８１と、第１のダンパー７１と、環状部材１２と、支持体４との間には気密にされた空間Ａ１が形成される。よって、かかる構成によれば、振動体３３ｘが振動する時に、前記の空間Ａ１に前記の空気バネの圧力が加わった場合でも、環状部材１２によってボイスコイルボビン５が補強され、前記の空気バネの圧力によりボイスコイルボビン５が変形や破損等してしまうことを抑止することができる。
【００６６】
[その他の変形例]
前記の空間Ａ１の空気バネは、第１のダンパー７（又は７１）と第２のダンパー８（又は８１）との面積の差の絶対値Ｓが小さい程、また、空間Ａ１の容積Ｖ１が大きい程、そのスチフネスが小さくなる。
【００６７】
したがって、第１実施例、第２の実施例、変形例１又は変形例２に係るスピーカー装置１００、１００ｘ、２００又は２００ｘにおいて、空間Ａ１の空気バネのスチフネスを小さくする必要がある場合には、第１のダンパー７（又は７１）の面積Ｓ１を大きくすることにより第１のダンパー７の面積Ｓ１と第２のダンパー８（又は８１）の面積Ｓ２の差の絶対値Ｓを小さくする、或いは、第１のダンパー７（又は７１）と第２のダンパー８（又は８１）の距離ｄ１（中心軸Ｌ方向の距離）を大きくすることにより空間Ａ１の容積Ｖ１を大きくする、などの方法を採ることが有効である。しかしながら、この種のスピーカー装置には薄型化及び小型化が求められており、かかる方法を採用するのは難しい状況下にある。つまり、こういった方法により、空間Ａ１の空気バネの弾性力を変えるには限界がある。しかし、何らかの方法により空間Ａ１の実質的な容積Ｖ１の大きさを変えることができれば、これに伴って、空間Ａ１に存在する空気バネのコンプライアンス（空間Ａ１に存在する空気バネのスチフネスの逆数）を変えることが可能であり、空間Ａ１に存在する空気バネの弾性力を変えるこが可能である。
【００６８】
そこで、本発明の他の変形例に係るスピーカー装置では、図１乃至図５において、支持体４に対して、空間Ａ１と外部空間Ａ２とを連通させるための開口部４ｘ（円形の破線にて囲まれる部分）を設ける。そして、他の変形例に係るスピーカー装置では、その仕様に応じて、その開口部４ｘの大きさ（面積）を適宜変えることにより、空間Ａ１の容積Ｖ１の大きさを実質的に変える。これにより、空間Ａ１に存在する空気バネのコンプライアンスを変えて、他の変形例に係るスピーカー装置の音響特性の設計自由度を大きくする。この点について、図６を参照して説明する。
【００６９】
図６は、他の変形例に係るスピーカー装置の機械的な等価回路９０の構成を示す。
【００７０】
図６において、ボイスコイル６の振動速度をＶ、ボイスコイル６の駆動力９１をＦｂ、振動体３１（又は３１ｘ又は３３又は３３ｘ）の機械的な等価質量９２をＭｍｓ、他の変形例に係るスピーカー装置の機械的な等価コンプライアンス９３をＣｍｓ、他の変形例に係るスピーカー装置の等価機械抵抗９４をＲｍｓ、空間Ａ１に存在する等価空気バネのコンプライアンス９５をＣｃ、空間Ａ１と外部空間Ａ２との間における等価空気抵抗９６をＲｃ、外部空間Ａ２に存在する空気バネの等価コンプライアンス９７をＣＯＵＴとした場合、ボイスコイル６の駆動力Ｆｂは、振動体３１（又は３１ｘ又は３３又は３３ｘ）の機械的な等価質量Ｍｍｓと、機械的なコンプライアンスＣｍｓと、等価機械抵抗Ｒｍｓとの直列接続と、空気バネの等価コンプライアンスＣｃと、等価空気抵抗Ｒｃと、外部空間Ａ２に存在する空気バネの等価コンプライアンスＣoutとの並列接続と、を直列接続した機械的な等価回路方程式として表される。その機械的な等価回路方程式は、具体的には、次式で表される。
【００７１】
【数１】
2008301171.tif 000003
一般に、ω（角周波数）＝２πｆ、Ｃ（等価コンプライアンス）＝ω／ρ0Ｃ２である。
【００７２】
なお、「ρ0」は空気の密度であり、「Ｃ」は音速であり、「Ｗ」は容積である。また、「振動体３１（又は３１ｘ又は３３又は３３ｘ）の機械的な等価質量Ｍｍｓ」は、ボイスコイルボビン５、ボイスコイル６、第１のダンパー７（又は７１）、第２のダンパー８（又は８１）、振動板９、エッジ１０及びキャップ１１の総重量である。また、「機械的な等価コンプライアンスＣｍｓ」は、他の変形例に係るスピーカー装置の機械的な構成要素のスチフネスの総和の逆数である。また、「等価機械抵抗Ｒｍｓ」は、振動体３１（又は３１ｘ又は３３又は３３ｘ）が動くときに生じる機械的な抵抗である。また、「空気バネの等価コンプライアンスＣｃ」は、空間Ａ１に存在する空気バネのスチフネスの逆数である。また、「等価空気抵抗Ｒｃ」は、空間Ａ１と外部空間Ａ２との間において空気が吸入又は排出されるときに生じる空気抵抗である。
【００７３】
また、「外部空間Ａ２の空気バネの等価コンプライアンスＣout」は、外部空間Ａ２の空気がバネの機能（以下、「空気バネ」と呼称する）を発現したと考えた時の、等価コンプライアンスである。外部空間Ａ２の容積は非常に大きいので、外部空間Ａ２の空気バネの等価コンプライアンスＣoutは非常に大きい大きさとなる。よって、上記の式１より、外部空間Ａ２に存在する空気バネの等価機械インピーダンス（＝１／ｊωＣout）は非常に小さくなるため、前述した等価回路９０は外部空間Ａ２の空気バネの等価コンプライアンスＣoutにてほぼ短絡した状態になる。
【００７４】
したがって、他の変形例に係るスピーカー装置では、開口部４ｘの大きさ（面積）を変えることにより、上記の機械的な等価回路９０において、等価空気抵抗Ｒｃの大きさを変えることができる。その結果、空間Ａ１に存在する空気バネの等価コンプライアンスＣｃを変えることができ、空間Ａ１に存在する空気ばねの弾性力を変えるこができる。
【００７５】
具体的には、他の変形例に係るスピーカー装置において開口部４ｘの大きさ（面積）が大きくなると、それに従って、他の変形例に係るスピーカー装置の駆動時に、等価空気抵抗Ｒｃが小さくなるため、空間Ａ１と外部空間Ａ２との間において空気の吸入及び排出がされ易くなる。これにより、等価コンプライアンスＣＣの寄与が小さくなり、空間Ａ１に存在する空気バネの等価コンプライアンスＣｃが効かなくなる方向に遷移して、空間Ａ１に存在する空気ばねの弾性力が小さくなり、これに伴って振動体３１（又は３１ｘ又は３３又は３３ｘ）が動き易くなる。一方、その逆に、他の変形例に係るスピーカー装置において開口部４ｘの大きさ（面積）が小さくなると、それに従って、他の変形例に係るスピーカー装置の駆動時に、等価空気抵抗Ｒｃが大きくなるため、空間Ａ１と外部空間Ａ２との間において空気の吸入及び排出がされ難くなる。これにより、等価コンプライアンスＣＣの寄与が大きくなり、空間Ａ１に存在する空気バネの等価コンプライアンスＣｃが効く方向に遷移して、空間Ａ１に存在する空気ばねの弾性力が大きくなり、これに伴って振動体３１（又は３１ｘ又は３３又は３３ｘ）が動き難くなる。
【００７６】
以上のように、他の変形例に係るスピーカー装置では、その仕様に応じて、支持体４に設けられた開口部４ｘの大きさ（面積）を適宜変えることにより、空間Ａ１の容積の大きさを実質的に変えることができる。その結果、空間Ａ１に存在する空気バネの等価コンプライアンスＣｃを変えることができ、空間Ａ１に存在する空気バネの弾性力を変えることができる。よって、音響特性を容易に所望の特性に変えることができ、音響特性の設計自由度を向上させることができる。
【００７７】
また、上記の第１実施例、第２実施例、変形例１及び変形例２に係るスピーカー装置１００、１００ｘ、２００又は２００ｘでは、空間Ａ１は気密にされている。そのため、かかるスピーカー装置では、気密にされた空間Ａ１と外部空間Ａ２との間における温度変化又は大気圧変化によって、かかるスピーカー装置の非駆動時に、気密にされた空間Ａ１内の圧力が変化して、その圧力変化による空間Ａ１に存在する空気バネの作用により、振動体３１（又は３１ｘ又は３３又は３３ｘ）が中心軸Ｌ方向に勝手に動いてしまう虞がある。
【００７８】
具体的には、スピーカー装置１００、１００ｘ、２００又は２００ｘでは、第２のダンパー８（又は８１）の面積Ｓ２は、第１のダンパー７（又は７１）の面積Ｓ１より大きく設定されている。このため、気密にされた空間Ａ１と外部空間Ａ２との間における温度の変化又は大気圧の変化によって、気密にされた空間Ａ１内の空気圧が下がる（つまり、気密にされた空間Ａ１の容積Ｖ１が大きくなっていく）と、このスピーカー装置の駆動を停止させた後に、その圧力変化により生じる空間Ａ１に存在する空気バネの作用により、振動体３１（又は３１ｘ又は３３又は３３ｘ）が音響放射側Ｙ１へ勝手に動いてしまう虞がある。一方、その逆に、そのような温度の変化又は大気圧の変化によって、気密にされた空間Ａ１内の圧力が上がる（つまり、気密にされた空間Ａ１の容積Ｖ１が小さくなっていく）と、このスピーカー装置の駆動を停止させた後に、その圧力変化により生じた空間Ａ１に存在する空気バネの作用により、振動体３１（又は３１ｘ又は３３又は３３ｘ）が音響放射側Ｙ１と逆側へ勝手に動いてしまう虞がある。このため、このスピーカー装置では、空間Ａ１と外部空間Ａ２との間において温度の変化又は大気圧の変化が生じた場合には、振動体３１（又は３１ｘ又は３３又は３３ｘ）を規定の静止位置に保持することに困難を伴う。
【００７９】
この点、他の変形例に係るスピーカー装置では、上述したように空間Ａ１と外部空間Ａ２とは、支持体４に設けられた開口部４ｘによって連通しているので、空間Ａ１と外部空間Ａ２との間において温度の変化又は大気圧の変化が生じた場合でも、このスピーカー装置の駆動を停止した後に、空間Ａ１内の空気圧は殆ど変化することがないので、振動体３１（又は３１ｘ又は３３又は３３ｘ）が中心軸Ｌ方向に勝手に動いてしまうといったことを防止できる。また、開口部４ｘの大きさ（面積）が小さく設定されている場合であっても、そのような温度の変化又は大気圧の変化は時間的にゆっくりしたものなので、そのような温度の変化又は圧力の変化によって空間Ａ１は気密状態とはならないので、空間Ａ１内の空気圧は殆ど変化することがなく、振動体３１（又は３１ｘ又は３３又は３３ｘ）が中心軸Ｌ方向に勝手に動いてしまうといったことを防止できる。よって、他の変形例では、空間Ａ１と外部空間Ａ２との間において温度の変化又は大気圧の変化が生じた場合でも、振動体３１（又は３１ｘ又は３３又は３３ｘ）を規定の静止位置に保持することができる。
【００８０】
その他、本発明では、その趣旨を逸脱しない範囲において種々の変形をすることが可能である。
【図面の簡単な説明】
【００８１】
【図１】本発明の第１実施例に係るスピーカー装置の断面図。
【図２】本発明の変形例１に係るスピーカー装置の断面図。
【図３】本発明の第２実施例に係るスピーカー装置の断面図。
【図４】本発明の第２実施例の他の態様に係るスピーカー装置の断面図。
【図５】本発明の変形例２に係るスピーカー装置の断面図。
【図６】他の変形例に係るスピーカー装置の機械的な等価回路図。
【図７】従来技術に係るダンパーのリニアリティー特性を説明するグラフ。
【符号の説明】
【００８２】
４  支持体
４ｘ  開口部
５  ボイスコイルボビン
７、７１  第１のダンパー
８、８１  第２のダンパー
７１ａ、８１ａ  第１の可動部
７１ｂ、８１ｂ  第２の可動部
１２  環状部材
３０  磁気回路
３１、３１ｘ、３３、３３ｘ  振動体
９０  等価回路
９５  空気バネの等価コンプライアンスＣｃ
９６  等価空気抵抗Ｒｃ
１００、１００ｘ、２００、２００ｘ  スピーカー装置
Ａ１  空間
Ａ２  外部空間
Ｖ１  容積
【図１】
2008301171.tif 000004
【図２】
2008301171.tif 000005
【図３】
2008301171.tif 000006
【図４】
2008301171.tif 000007
【図５】
2008301171.tif 000008
【図６】
2008301171.tif 000009
【図７】
2008301171.tif 000010